(57)【特許請求の範囲】
【請求項１】
ビデオキャプチャ装置に接続された端末の情報を照会する方法であって、
端末が送信する、ビデオキャプチャ装置がキャプチャした情報を共用するようにする通信要求を獲得するステップと、
前記通信要求によって、前記ビデオキャプチャ装置と接続される端末を確定するステップと、
インターネットサーバに前記ビデオキャプチャ装置の状態情報を送信するステップと、を含み、
前記状態情報は、前記ビデオキャプチャ装置と接続される端末の情報を含み、
前記通信要求によって、前記ビデオキャプチャ装置と接続される端末を確定するステップは、
前記通信要求から端末識別子を抽出するステップと、
前記端末識別子によって、前記ビデオキャプチャ装置の接続状態パラメータである、現在前記ビデオキャプチャ装置と接続される端末の数量、および所定の時間内に前記ビデオキャプチャ装置と接続される端末の数量のうち少なくともいずれか一つを確定するステップを含み、
前記インターネットサーバに前記ビデオキャプチャ装置の状態情報を送信するステップは、
所定の時間に前記ビデオキャプチャ装置の状態情報を前記インターネットサーバに送信するステップ、
または
前記接続状態パラメータが第１の所定の閾値を超えると、前記状態情報を前記インターネットサーバに送信するステップを含む
ことを特徴とするビデオキャプチャ装置に応用される情報照会方法。
【請求項２】
前記ビデオキャプチャ装置と接続される端末の情報は、前記端末の端末識別子、および前記ビデオキャプチャ装置の接続状態パラメータのうち少なくともいずれか一つを含むことを特徴とする請求項１に記載の情報照会方法。
【請求項３】
前記インターネットサーバに前記ビデオキャプチャ装置の状態情報を送信するステップは、
前記状態情報によって、前記ビデオキャプチャ装置のハートビートパケットを生成するステップと、
前記ハートビートパケットを前記インターネットサーバに送信するステップと、を含むことを特徴とする請求項１に記載の情報照会方法。
【請求項４】
ビデオキャプチャ装置に接続された端末の情報を照会する方法であって、
所定の時間にビデオキャプチャ装置が送信する状態情報を受信するステップと、
前記状態情報を所定の端末に送信するステップと、を含み、
前記状態情報は、前記ビデオキャプチャ装置と接続される端末の情報を含み、
前記所定の端末は、前記ビデオキャプチャ装置に関連する端末であり、
前記状態情報を所定の端末に送信するステップは、
前記状態情報から前記ビデオキャプチャ装置の接続状態パラメータを抽出するステップと、
前記接続状態パラメータが第２の所定の閾値を超えると、前記状態情報を前記所定の端末に送信するステップと、を含み、
前記接続状態パラメータは、現在前記ビデオキャプチャ装置と接続される端末の数量であることを特徴とするインターネットサーバに応用される情報照会方法。
【請求項５】
前記状態情報を所定の端末に送信するステップは、
前記所定の端末が送信する照会要求を受信するステップと、
前記照会要求によって前記所定の端末に関連する前記ビデオキャプチャ装置の前記状態情報を照会するステップと、
前記状態情報を前記所定の端末に送信するステップと、を含むことを特徴とする請求項４に記載の情報照会方法。
【請求項６】
前記状態情報を所定の端末に送信するステップは、
所定の時間に前記状態情報を前記所定の端末に送信するステップ、を含むことを特徴とする請求項４に記載の情報照会方法。
【請求項７】
ビデオキャプチャ装置に接続された端末の情報を照会する装置であって、
端末が送信する、ビデオキャプチャ装置がキャプチャした情報を共用するようにする通信要求を獲得するための獲得モジュールと、
前記通信要求によって、前記ビデオキャプチャ装置と接続される端末を確定するための確定モジュールと、
インターネットサーバに前記ビデオキャプチャ装置の状態情報を送信するための送信モジュールと、を備え、
前記状態情報は、前記ビデオキャプチャ装置と接続される端末の情報を含み、
前記確定モジュールは、
前記通信要求から端末識別子を抽出するための抽出サブモジュールと、
前記端末識別子によって、前記ビデオキャプチャ装置の接続状態パラメータである、現在前記ビデオキャプチャ装置と接続される端末の数量、および所定の時間内に前記ビデオキャプチャ装置と接続される端末の数量のうち少なくともいずれか一つを確定するための確定サブモジュールと、を備え、
前記送信モジュールは、
所定の時間に前記ビデオキャプチャ装置の前記状態情報を前記インターネットサーバに送信し、
または
前記接続状態パラメータが第１の所定の閾値を超えると、前記状態情報を前記インターネットサーバに送信するために使用されることを特徴とするビデオキャプチャ装置に応用される情報照会装置。
【請求項８】
前記送信モジュールは、
前記状態情報によって、前記ビデオキャプチャ装置のハートビートパケットを生成するための生成サブモジュールと、
前記ハートビートパケットを前記インターネットサーバに送信するための送信サブモジュールと、を備えることを特徴とする請求項７に記載の情報照会装置。
【請求項９】
ビデオキャプチャ装置に接続された端末の情報を照会する装置であって、
所定の時間に前記ビデオキャプチャ装置が送信する状態情報を受信するための受信モジュールと、
前記状態情報を所定の端末に送信するための送信モジュールと、を備え、
前記状態情報は、前記ビデオキャプチャ装置と接続される端末の情報を含み、
前記所定の端末は、前記ビデオキャプチャ装置に関連する端末であり、
前記送信モジュールは、
前記状態情報から前記ビデオキャプチャ装置の接続状態パラメータを抽出するための抽出サブモジュールと、
前記接続状態パラメータが第２の所定の閾値を超えると、前記状態情報を前記所定の端末に送信するための第１の送信サブモジュールと、を備え、
前記接続状態パラメータは、現在前記ビデオキャプチャ装置と接続される端末の数量であることを特徴とするインターネットサーバに応用される情報照会装置。
【請求項１０】
前記送信モジュールは、
前記所定の端末が送信する照会要求を受信するための受信サブモジュールと、
前記照会要求によって前記所定の端末に関連する前記ビデオキャプチャ装置の状態情報を照会するための照会サブモジュールと、
前記状態情報を前記所定の端末に送信するための第２の送信サブモジュールと、を備えることを特徴とする請求項９に記載の情報照会装置。
【請求項１１】
前記送信モジュールは、所定の時間に前記状態情報を前記所定の端末に送信するために使用されることを特徴とする請求項９に記載の情報照会装置。
【請求項１２】
プロセッサと、
プロセッサにより実行可能な命令を記憶するメモリと、を備え、
ここで、プロセッサは、
端末が送信する、ビデオキャプチャ装置がキャプチャした情報を共用するようにする通信要求を獲得し、
前記通信要求によって、前記ビデオキャプチャ装置と接続される端末を確定し、
インターネットサーバに前記ビデオキャプチャ装置の状態情報を送信するように配置され、
前記状態情報は、前記ビデオキャプチャ装置と接続される端末の情報を含み、
前記通信要求によって、前記ビデオキャプチャ装置と接続される端末を確定することは、
前記通信要求から端末識別子を抽出することと、
前記端末識別子によって、前記ビデオキャプチャ装置の接続状態パラメータである、現在前記ビデオキャプチャ装置と接続される端末の数量、および所定の時間内に前記ビデオキャプチャ装置と接続される端末の数量のうち少なくともいずれか一つを確定し、
インターネットサーバに前記ビデオキャプチャ装置の状態情報を送信することは、
所定の時間に前記ビデオキャプチャ装置の状態情報を前記インターネットサーバに送信すること、
または
前記接続状態パラメータが第１の所定の閾値を超えると、前記状態情報を前記インターネットサーバに送信することを含むことを特徴とする情報照会装置。
【請求項１３】
プロセッサと、
プロセッサにより実行可能な命令を記憶するメモリと、を備え、
ここで、プロセッサは、
所定の時間にビデオキャプチャ装置が送信する状態情報を受信し、
前記状態情報を所定の端末に送信されるように配置され、
前記状態情報は、前記ビデオキャプチャ装置と接続される端末の状態を含み、
前記所定の端末は、前記ビデオキャプチャ装置に関連する端末であり、
前記状態情報を前記所定の端末に送信することは、
前記状態情報から前記ビデオキャプチャ装置の接続状態パラメータを抽出することと、
前記接続状態パラメータが第２の所定の閾値を超えると、前記状態情報を前記所定の端末に送信することと、を含み、
前記接続状態パラメータは、現在前記ビデオキャプチャ装置と接続される端末の数量であることを特徴とする情報照会装置。
【請求項１４】
プロセッサに実行されることにより、請求項１〜６のいずれか１項に記載の情報照会方法を実現する、コンピュータ読取可能な記録媒体に記録されたプログラム。
【請求項１５】
請求項１４に記載のプログラムが記録されたコンピュータ読取可能な記録媒体。
【発明の詳細な説明】
【技術分野】
【０００１】
本発明は、通信技術分野に関し、更に詳細には、情報照会方法、装置、プログラム及び記録媒体に関する。
【背景技術】
【０００２】
カメラは、ビデオキャプチャ装置であり、ビデオ会議、遠隔教育、遠隔医療、リアルタイムモニタリングなどに広く利用されている。カメラは、ビデオ画像信号をキャプチャする装置として、ビデオ会議、遠隔教育、遠隔医療分野へ応用されて、参加者が直接その場所にいるような感覚を感じることができ、リアルタイムでモニターリングする分野に応用されて防御能力や安全性を著しく向上させることができる。
【発明の概要】
【発明が解決しようとする課題】
【０００３】
本発明は、情報照会方法、装置、プログラム及び記録媒体を提供する。技術的な案は下記の通りである。
【課題を解決するための手段】
【０００４】
本発明の第１の態様によれば、ビデオキャプチャ装置に応用される情報照会方法が提供され、前記方法は、
端末が送信する通信要求を獲得するステップと、
前記通信要求によって、前記ビデオキャプチャ装置と接続される端末を確定するステップと、
インターネット側に前記ビデオキャプチャ装置の状態情報を送信するステップと、を含み、
前記状態情報は、前記ビデオキャプチャ装置と接続される端末の情報を含むことを特徴とする。
【０００５】
本発明の実施例に係る技術的な案によれば、以下のような有益な効果を含むことができる。即ち、ビデオキャプチャ装置と接続される端末を確定した後、インターネット側にビデオキャプチャ装置の状態情報を送信して、インターネット側が通信の過程で前記ビデオキャプチャ装置と接続される端末情報を取得することができ、通信の過程の安全性を確保することができる。
【０００６】
一実施例では、前記通信要求によって、前記ビデオキャプチャ装置と接続される端末を確定するステップは、
前記通信要求から端末識別子を抽出するステップと、
前記端末識別子によって、前記ビデオキャプチャ装置の接続状態パラメータである、現在前記ビデオキャプチャ装置と接続される端末の数量、および所定の時間内に前記ビデオキャプチャ装置と接続される端末の数量のうち少なくともいずれか一つを確定するステップを含む。
【０００７】
本発明の実施例に係る技術的な案によれば、以下のような有益な効果を含むことができる。即ち、端末識別子によってビデオキャプチャ装置と接続される端末の数量を確定することができるので、サードパーティ端末の不法アクセスを防止することができ、通信の過程での安全性をより確保することができる。
【０００８】
一実施例では、前記ビデオキャプチャ装置と接続される端末の情報は、前記端末の端末識別子、および前記ビデオキャプチャ装置の接続状態パラメータのうち少なくともいずれか一つを含む。
【０００９】
本発明の実施例に係る技術的な案によれば、以下のような有益な効果を含むことができる。即ち、異なる種類の端末の情報を定義することで、ビデオキャプチャ装置と接続される端末情報をより多様化することができる。
【００１０】
一実施例では、インターネット側に前記ビデオキャプチャ装置の状態情報を送信するステップは、
所定の時間に前記ビデオキャプチャ装置の状態情報を前記インターネット側に送信するステップ、
または
前記接続状態パラメータが第１の所定の閾値を超えると、前記状態情報を前記インターネット側に送信するステップを含む。
【００１１】
本発明の実施例に係る技術的な案によれば、以下のような有益な効果を含むことができる。即ち、前記ビデオキャプチャ装置の状態情報を送信する異なる方法を設置することにより、ビデオキャプチャ装置の状態情報を送信する方法が多様化されることができる。
【００１２】
一実施例では、インターネット側に前記ビデオキャプチャ装置の状態情報を送信するステップは、
前記状態情報によって、前記ビデオキャプチャ装置のハートビートパケットを生成するステップと、
前記ハートビートパケットを前記インターネット側に送信するステップと、を含む。
【００１３】
本発明の実施例に係る技術的な案によれば、以下のような有益な効果を含むことができる。即ち、ハートビートメカニズムを確立して、インターネット側が所定の時間ごとにビデオキャプチャ装置の状態情報を受信でき、これにより、インターネット側とビデオキャプチャ装置の接続有効性を確保することができる。
【００１４】
本発明の第２の態様によれば、インターネット側に応用される情報照会方法が提供され、前記方法は、
ビデオキャプチャ装置が送信される状態情報を受信するステップと、
前記状態情報を所定の端末に送信するステップと、を含み、
前記状態情報は、前記ビデオキャプチャ装置と接続される端末の情報を含み、
前記所定の端末は、前記ビデオキャプチャ装置に関連する端末であることを特徴とする。
【００１５】
本発明の実施例に係る技術的な案によれば、以下のような有益な効果を含むことができる。即ち、ビデオキャプチャ装置の状態情報を受信し、前記状態情報をビデオキャプチャ装置に関連する所定の端末に送信することで、所定の端末がビデオキャプチャ装置の状態情報を獲得することができる。
【００１６】
一実施例では、前記状態情報を所定の端末に送信するステップは、
前記状態情報から前記ビデオキャプチャ装置の接続状態パラメータを抽出するステップと、
前記接続状態パラメータが第２の所定の閾値を超えると、前記状態情報を前記所定の端末に送信するステップと、を含む。
【００１７】
本発明の実施例に係る技術的な案によれば、以下のような有益な効果を含むことができる。即ち、所定の端末は、ビデオキャプチャ装置の接続状態パラメータが第２の所定の閾値を超えると状態情報を獲得することができる。
【００１８】
一実施例では、前記状態情報を所定の端末に送信するステップは、
前記所定の端末が送信する照会要求を受信するステップと、
前記照会要求によって前記所定の端末に関連するビデオキャプチャ装置の状態情報を照会するステップと、
前記状態情報を前記所定の端末に送信するステップと、を含む。
【００１９】
本発明の実施例に係る技術的な案によれば、以下のような有益な効果を含むことができる。即ち、所定の端末が送信する照会要求によって前記所定の端末に関連するビデオキャプチャ装置の状態情報を照会し、前記状態情報を所定の端末に送信することで、所定の端末が自分に関連するビデオキャプチャ装置の状態情報を取得することができる。
【００２０】
一実施例では、前記状態情報を所定の端末に送信するステップは、
所定の時間に前記状態情報を前記所定の端末に送信するステップを含む。
【００２１】
本発明の実施例に係る技術的な案によれば、以下のような有益な効果を含むことができる。即ち、所定の時間に状態情報を所定の端末に送信することで、状態情報の自発的プッシュを実現でき、これにより、状態情報の送信がさらに知能化されることができる。
【００２２】
本発明の第３の態様によれば、ビデオキャプチャ装置に応用される情報照会装置が提供され、前記装置は、
端末が送信する通信要求を獲得するための獲得モジュールと、
前記通信要求によって、前記ビデオキャプチャ装置と接続される端末を確定するための確定モジュールと、
インターネット側に前記ビデオキャプチャ装置の状態情報を送信するための送信モジュールとを備え、
前記状態情報は、前記ビデオキャプチャ装置と接続される端末の情報を含むことを特徴とする。
【００２３】
一実施例では、前記確定モジュールは、
前記通信要求から端末識別子を抽出するための抽出サブモジュールと、
前記端末識別子によって、前記ビデオキャプチャ装置の接続状態パラメータである、現在前記ビデオキャプチャ装置と接続される端末の数量、および所定の時間内に前記ビデオキャプチャ装置と接続される端末の数量のうち少なくともいずれか一つを確定するための確定サブモジュールとを備える。
【００２４】
一実施例では、前記送信モジュールは、所定の時間に前記ビデオキャプチャ装置の状態情報を前記インターネット側に送信し、
または
前記接続状態パラメータが第１の所定の閾値を超えると、前記状態情報を前記インターネット側に送信するために使用される。
【００２５】
一実施例では、前記送信モジュールは、
前記状態情報によって、前記ビデオキャプチャ装置のハートビートパケットを生成するための生成サブモジュールと、
前記ハートビートパケットを前記インターネット側に送信するための送信サブモジュールとを備える。
【００２６】
本発明の第４の態様によれば、インターネット側に応用される情報照会装置が提供され、前記装置は、
ビデオキャプチャ装置が送信される状態情報を受信するための受信モジュールと、
前記状態情報を所定の端末に送信するための送信モジュールとを備え、
前記状態情報は、前記ビデオキャプチャ装置と接続される端末の情報を含み、
前記所定の端末は、前記ビデオキャプチャ装置に関連する端末であることを特徴とする。
【００２７】
一実施例では、前記送信モジュールは、
前記状態情報から前記ビデオキャプチャ装置の接続状態パラメータを抽出するための抽出サブモジュールと、
前記接続状態パラメータが第２の所定の閾値を超えると、前記状態情報を前記所定の端末に送信するための第１の送信サブモジュールと、を備える。
【００２８】
一実施例では、前記送信モジュールは、
前記所定の端末が送信する照会要求を受信するための受信サブモジュールと、
前記照会要求によって前記所定の端末に関連するビデオキャプチャ装置の状態情報を照会するための照会サブモジュールと、
前記状態情報を前記所定の端末に送信するための第２の送信サブモジュールと、を備える。
【００２９】
一実施例では、前記送信モジュールは、所定の時間に前記状態情報を前記所定の端末に送信する。
【００３０】
本発明の第５の態様によれば、情報照会装置が提供され、前記装置は、
プロセッサと、
プロセッサにより実行可能な命令を記憶するメモリと、を備え、
ここで、プロセッサは、
端末が送信する通信要求を獲得し、
前記通信要求によって、前記ビデオキャプチャ装置と接続される端末を確定し、
インターネット側に前記ビデオキャプチャ装置の状態情報を送信するように配置され、
前記状態情報は、前記ビデオキャプチャ装置と接続される端末の情報を含む。
【００３１】
本発明の第６の態様によれば、情報照会装置が提供され、前記装置は、
プロセッサと、
プロセッサにより実行可能な命令を記憶するメモリと、を備え、
ここで、プロセッサは、
ビデオキャプチャ装置が送信される状態情報を受信し、
前記状態情報を所定の端末に送信されるように配置され、
前記状態情報は、前記ビデオキャプチャ装置と接続される端末の状態を含み、
前記所定の端末は、前記ビデオキャプチャ装置に関連する端末である。
【００３２】
なお、上記の一般的な説明及び後の詳しい説明は、例示的及び解釈的なものであり、本発明を制限するものではない。
本発明の第７の態様によれば、
プロセッサに実行されることにより、上記の情報照会方法を実現する、コンピュータ
読取可能な記録媒体に記録されたプログラムを提供する。
本発明の第８の態様によれば、
上記プログラムが記録されたコンピュータ読取可能な記録媒体を提供する。
【図面の簡単な説明】
【００３３】
ここの図面は、明細書に組み入れて本明細書の一部分を構成し、本発明に該当する実施例を例示するとともに、明細書とともに本発明の原理を解釈する。
【図１】一例示的な実施例に係る情報照会方法を示すフローチャートである。
【図２】一例示的な実施例に係る情報照会方法を示すフローチャートである。
【図３】一例示的な実施例に係る情報照会方法を示すフローチャートである。
【図４】一例示的な実施例に係る情報照会方法を示すフローチャートである。
【図５】一例示的な実施例に係る情報照会方法を示すフローチャートである。
【図６】一例示的な実施例に係る情報照会方法を示すフローチャートである。
【図７】一例示的な実施例に係る情報照会方法を示すフローチャートである。
【図８】一例示的な実施例に係る情報照会装置を示すブロック図である。
【図９】一例示的な実施例に係る情報照会装置を示すブロック図である。
【図１０】一例示的な実施例に係る情報照会装置を示すブロック図である。
【図１１】一例示的な実施例に係る情報照会装置を示すブロック図である。
【図１２】一例示的な実施例に係る情報照会装置を示すブロック図である。
【図１３】一例示的な実施例に係る情報照会装置を示すブロック図である。
【図１４】一例示的な実施例に係る情報照会装置に使用されるブロック図である。
【図１５】一例示的な実施例に係る情報照会に使用される装置を示すブロック図である。
【発明を実施するための形態】
【００３４】
ここで、図面に示される例示的な実施例について詳細に説明する。以下、図面に関連して説明する際に、特別な説明がない限り、異なる図面での同一符号は、同一または類似な要素を示す。以下の例示的な実施例で記載する実施例は、本発明に一致する全ての実施例を代表するわけではない。かえって、それらは、添付される特許請求の範囲で詳細に記載される本発明の一部の態様に一致する装置、及び方法の例に過ぎない。
【００３５】
本発明の実施例は、情報照会を実現する方法を提供し、前記方法を実施する主体は、ビデオキャプチャ装置およびインターネット側が含まれ、前記ビデオキャプチャ装置は、インターネットに接続された、リアルタイムの交流、またはリアルタイムのモニターリング機能を実現するためのカメラであってもよい。前記ビデオキャプチャ装置がリアルタイムの交流を実現するために使用される場合、外部カメラであってもよく、端末の内部カメラであってもよい。本発明の実施例は、方法を実施する主体によって、情報照会を実現する２つの方法を以下のように提供する。
【００３６】
図１は、一例示的な実施例に係る情報照会方法を示すフローチャートであり、図１に示すように、前記情報照会方法は、ビデオキャプチャ装置に適用され、以下のようなステップＳ１１−Ｓ１３を含んでもよい。
【００３７】
ステップＳ１１：端末が送信する通信要求を獲得する。
【００３８】
ステップＳ１２：通信要求によって、前記ビデオキャプチャ装置と接続される端末を確定する。
【００３９】
ステップＳ１３：インターネット側にビデオキャプチャ装置の状態情報を送信する。ここで、状態情報は、ビデオキャプチャ装置と接続される端末の情報を含む。
【００４０】
ビデオキャプチャ装置が、例えば、インターネットに接続されたカメラである場合、前記カメラは端末が送信する通信要求を獲得するとき、通信要求によって、前記スマートカメラと接続される端末を確定するとともに、ビデオキャプチャ装置と接続される端末の情報をインターネット側に送信する。ここで、通信要求とは、カメラが録画した画面を共有するようにする要求である。
【００４１】
本発明の実施例に係る技術的な案によれば、以下のような有益な効果を含むことができる。即ち、ビデオキャプチャ装置と接続される端末を確定した後、インターネット側にビデオキャプチャ装置の状態情報を送信して、インターネット側が通信の過程で、前記ビデオキャプチャ装置と接続される端末情報を取得することができ、通信の過程の安全性を確保することができる。
【００４２】
一実施例では、図２に示すように、前記ステップＳ１２は、以下のようなステップＳ２１−Ｓ２３で実施することができる。
【００４３】
ステップＳ２１：通信要求の端末識別子を抽出する。
【００４４】
ステップＳ２２：端末識別子によって以下のビデオキャプチャ装置の接続状態パラメータのうち少なくとも一つを確定する。
【００４５】
現在前記ビデオキャプチャ装置と接続される端末の数量、および所定の時間内に前記ビデオキャプチャ装置と接続される端末の数量。
ステップＳ２３: インターネット側にビデオキャプチャ装置の状態情報を送信する。
【００４６】
例えば、端末が通信要求を送信するとき、通信要求は、前記端末の端末識別子を持ち、カメラは通信要求を受信した後、通信要求から端末識別子を抽出し、かつ端末識別子によってカメラの接続状態パラメータを確定する。前記パラメータは、現在のカメラと接続している端末の数量であってもよく、所定の時間内に前記カメラと接続される端末の数量であってもよい。
【００４７】
本発明の実施例に係る技術的な案によれば、以下のような有益な効果を含むことができる。即ち、端末識別子によってビデオキャプチャ装置と接続される端末の数量を確定することができるので、サードパーティ端末の不法アクセスを防止することができ、通信の過程での安全性をより確保することができる。
【００４８】
一実施例では、前記ステップＳ１３でのビデオキャプチャ装置と接続される端末の情報は、端末の端末識別子、およびビデオキャプチャ装置の接続状態パラメータのうち少なくともいずれか一つを含んでもよい。
【００４９】
本発明の実施例に係る技術的な案によれば、以下のような有益な効果を含むことができる。即ち、異なる種類の端末の情報を定義することで、ビデオキャプチャ装置と接続される端末情報をより多様化することができる。
【００５０】
一実施例では、前記ステップＳ１３でのインターネット側にビデオキャプチャ装置の状態情報を送信するステップは、
所定の時間にビデオキャプチャ装置の状態情報をインターネット側に送信するステップ、
または
接続状態パラメータが第１の所定の閾値を超えると、状態情報をインターネット側に送信するステップを含む。
【００５１】
例えば、インターネット側にカメラの状態情報を送信するステップは、所定の時間に、カメラの状態情報をインターネット側に送信するステップ、またはカメラに接続される端末の数量が所定の閾値を超えると、状態情報をインターネット側に送信するステップを含む。
【００５２】
本発明の実施例に係る技術的な案によれば、以下のような有益な効果を含むことができる。即ち、前記ビデオキャプチャ装置の状態情報を送信する異なる方法を設置することにより、ビデオキャプチャ装置の状態情報を送信する方法が多様化されることができる。
【００５３】
一実施例では、図３に示すように、前記ステップＳ１３でのインターネット側にビデオキャプチャ装置の状態情報を送信するステップは、以下のようなステップＳ３１−Ｓ３２をさらに含んでもよい。
【００５４】
ステップＳ３１：状態情報によって、ビデオキャプチャ装置のハートビートパケットを生成する。
【００５５】
ステップＳ３２：ハートビートパケットをインターネット側に送信する。
【００５６】
ハートビートパケットは、カメラが所定の時間間隔で、インターネット側に前記カメラの状態情報を１回送信することを指す。そして、インターネット側にカメラの状態情報を送信するステップは、状態情報によって、カメラのハートビートパケットを生成するとともに、前記ハートビートパケットをインターネット側に送信するステップより実施することができる。
【００５７】
本発明の実施例に係る技術的な案によれば、以下のような有益な効果を含むことができる。即ち、ハートビートメカニズムを確立して、インターネット側が所定の時間間隔でビデオキャプチャ装置の状態情報を受信でき、これにより、インターネット側とビデオキャプチャ装置の接続有効性を確保することができる。
【００５８】
図４は、一例示的な実施例に係る情報照会方法を示すフローチャートであり、図４に示すように、前記情報照会方法は、インターネット側に適用され、以下のようなステップＳ４１−Ｓ４２を含んでもよい。
【００５９】
ステップＳ４１：ビデオキャプチャ装置が送信される状態情報を受信する。ここで、状態情報は、ビデオキャプチャ装置と接続される端末の情報を含む。
【００６０】
ステップＳ４２：状態情報を所定の端末に送信する。ここで、所定の端末は、ビデオキャプチャ装置に関連する端末である。
【００６１】
本発明の実施例に係る技術的な案によれば、以下のような有益な効果を含むことができる。即ち、ビデオキャプチャ装置の状態情報を受信し、前記状態情報をビデオキャプチャ装置に関連する所定の端末に送信することで、所定の端末がビデオキャプチャ装置の状態情報を獲得することができる。
【００６２】
一実施例では、図５に示すように、前記ステップＳ４２での状態情報を所定の端末に送信するステップは、以下のようなステップＳ５１―Ｓ５２を含んでもよい。
【００６３】
ステップＳ５１：状態情報からビデオキャプチャ装置の接続状態パラメータを抽出する。
【００６４】
ステップＳ５２：接続状態パラメータが第２の所定の閾値を超えると、状態情報を所定の端末に送信する。
【００６５】
インターネット側がスマートルータである場合を例にして、スマートルータは、カメラが送信した状態情報を受信し、前記状態情報から、カメラの接続状態パラメータを抽出し、接続状態パラメータが所定の閾値を超えると、前記状態情報を前記カメラに関連する端末に送信する。
【００６６】
前記接続状態パラメータは、前記カメラに接続される端末の数量であってもよく、前記カメラに関連する端末は、予め設置した前記カメラの状態情報を照会する権限を有する端末であってもよい。
【００６７】
本発明の実施例に係る技術的な案によれば、以下のような有益な効果を含むことができる。即ち、所定の端末は、ビデオキャプチャ装置の接続状態パラメータが第２の所定の閾値を超えると状態情報を獲得することができる。
【００６８】
一実施例では、図６に示すように、前記ステップＳ４２での状態情報を所定の端末に送信するステップは、以下のようなステップＳ６１−Ｓ６３をさらに含んでもよい。
【００６９】
ステップＳ６１：所定の端末が送信する照会要求を受信する。
【００７０】
ステップＳ６２：照会要求によって所定の端末に関連するビデオキャプチャ装置の状態情報を照会する。
【００７１】
ステップＳ６３：状態情報を所定の端末に送信する。
【００７２】
例えば、スマートルータは、端末が送信した照会要求を受信する。前記照会要求は、前記端末に関連するカメラの状態情報の照会に使用される。スマートルータは、前記照会要求によって前記端末に関連するカメラの状態情報を照会するとともに、前記状態情報を、照会要求を送信する端末に送信する。
【００７３】
本発明の実施例に係る技術的な案によれば、以下のような有益な効果を含むことができる。即ち、所定の端末が送信する照会要求によって前記所定の端末に関連するビデオキャプチャ装置の状態情報を照会し、前記状態情報を所定の端末に送信することで、所定の端末が自分に関連するビデオキャプチャ装置の状態情報を取得することができる。
【００７４】
一実施例では、状態情報を所定の端末に送信するステップは、所定の時間に状態情報を所定の端末に送信するステップを含む。
【００７５】
本発明の実施例に係る技術的な案によれば、以下のような有益な効果を含むことができる。即ち、所定の時間に状態情報を所定の端末に送信することで、状態情報の自発的プッシュを実現でき、これにより、状態情報の送信がさらに知能化されることができる。
【００７６】
図７は、一例示的な実施例に係る情報照会方法を示すフローチャートであり、図７に示すように、前記情報照会方法は、ビデオキャプチャ装置とインターネット側の相互作用システムに使用され、以下のようなステップＳ７１−Ｓ７９を含んでもよい。
【００７７】
ステップＳ７１：ビデオキャプチャ装置は、端末が送信する通信要求を獲得する。
【００７８】
ステップＳ７２：ビデオキャプチャ装置は、通信要求から端末識別子を抽出する。
【００７９】
ステップＳ７３：ビデオキャプチャ装置は、端末識別子によって、現在ビデオキャプチャ装置と接続される端末の数量を確定する。
【００８０】
ステップＳ７４：ビデオキャプチャ装置は、所定の時間にビデオキャプチャ装置の状態情報をインターネット側に送信する。
【００８１】
ステップＳ７５：インターネット側は、ビデオキャプチャ装置が送信する状態情報を受信する。
【００８２】
ステップＳ７６：インターネット側は、状態情報から現在ビデオキャプチャ装置と接続される端末の数量を抽出する。
【００８３】
ステップＳ７７：現在ビデオキャプチャ装置と接続される端末の数量が第２の所定の閾値を超えると、インターネット側は所定の端末が送信する照会要求を受信する。
【００８４】
ステップＳ７８：インターネット側は照会要求によって所定の端末に関連するビデオキャプチャ装置の状態情報を照会する。
【００８５】
ステップＳ７９：インターネット側は状態情報を所定の端末に送信する。
【００８６】
一実施例では、前記ステップＳ７４での状態情報はビデオキャプチャ装置と接続される端末の情報を含む。
【００８７】
ビデオキャプチャ装置と接続される端末の情報は、端末の端末識別子、およびビデオキャプチャ装置の接続状態パラメータのうち少なくともいずれか一つを含む。
【００８８】
ビデオキャプチャ装置の接続状態パラメータは、前記現在ビデオキャプチャ装置と接続される端末の数量を含むだけではなく、所定の時間内にビデオキャプチャ装置と接続される端末の数量をさらに含んでもよい。このとき、前記ステップＳ７３は、さらに端末識別子によって所定の時間内にビデオキャプチャ装置と接続される端末の数量を確定することができる。
【００８９】
また、一実施例では、前記ステップＳ７４は、以下の方法で実施することができる。
【００９０】
現在ビデオキャプチャ装置と接続される端末の数量が第１の所定の閾値を超えると、状態情報をインターネット側に送信し、
または
状態情報によって、ビデオキャプチャ装置のハートビートパケットを生成し、
ハートビートパケットをインターネット側に送信する。
【００９１】
ステップＳ７７の実施形態で、現在ビデオキャプチャ装置と接続される端末の数量が第２の所定の閾値を超えると、前記ステップＳ７７−Ｓ７９は、さらに所定の時間に状態情報を所定の端末に送信するように実施することができる。
【００９２】
ビデオキャプチャ装置がスマートルータにアクセスしたカメラである場合を例に挙げ、インターネット側がスマートルータである場合を例に挙げると、ユーザーがカメラで録画した画面を照会する必要があるとき、携帯電話、タブレットＰＣなどの端末を介してカメラに通信要求を送信し、カメラは端末が送信した通信要求を獲得した後、通信要求から端末識別子を抽出し、抽出された端末識別子の数量によって、現在前記カメラと接続される端末の数量を確定する。この時、カメラは所定の時間ごとに、現在前記カメラと接続される端末の数量を含む状態情報をスマートルータに送信する。また、現在前記カメラと接続される端末の数量が第１の所定の閾値を超えると、カメラは、前記カメラは当該カメラの状態情報をスマートルータに送信する。また、前記カメラの状態情報によって、ハートビートメカニズムを確立し、前記カメラのハートビートパケットを生成して、固定周波数でスマートルータに前記カメラの状態情報を送信する。
【００９３】
スマートルータは、前記カメラが送信する状態情報を受信した後、前記状態情報から、現在前記カメラと接続される端末の数量を抽出し、現在前記カメラと接続される端末の数量が所定の閾値を超えると、スマートルータは、前記状態情報を予め設置したカメラの状態情報を照会する権限を有する端末（例えば、前記カメラの管理者の携帯電話、タブレットＰＣなど）に送信する。前記状態情報を、カメラの状態を照会する権限を有する端末に送信することには、以下のような２つの状況がある。
【００９４】
第１の状況：
予め設置したカメラの状態情報を照会する権限を有する端末の所有者が照会要求を主動的に送信して、前記カメラの状態情報を照会する。
【００９５】
スマートルータは、前記端末が送信した照会要求を受信し、前記照会要求によって、前記カメラの状態情報を照会するとともに、照会した状態情報を前記予め設置したカメラの状態情報を照会する権限を有する端末に送信する。
【００９６】
第２の状況：
現在のビデオキャプチャ装置と接続される端末の数量が所定の閾値を超えると、所定の時間に前記状態情報を予め設置したカメラの状態情報を照会する権限を有する端末に送信する。
【００９７】
本発明の実施例に係る技術的な案によれば、以下のような有益な効果を含むことができる。即ち、端末は、ビデオキャプチャ装置に通信要求を送信することで、ビデオキャプチャ装置との直接接続を確立することができて、操作が簡単で、便利であり、所定の端末は、照会要求を送信して、前記ビデオキャプチャ装置の状態情報を照会することで、前記ビデオキャプチャ装置と接続する端末数が所定の閾値を超えた場合、前記ビデオキャプチャ装置と接続される端末の数量を所定の端末に積極的にプッシュし、さらに異なる形態で、前記ビデオキャプチャ装置と接続される端末の数量をリアルタイムに取得するため、ビデオキャプチャ装置が不法接続されることを防止でき、ビデオキャプチャ装置の安全性を確保することができる。
【００９８】
図８は、一例示的な実施例に係る情報照会装置を示すブロック図であり、図８に示すように、前記情報照会方法は、ビデオキャプチャ装置に適用され、以下のようなステップＳ１１−Ｓ１３を含んでもよい。
【００９９】
図８は、一例示的な実施例に係る情報照会装置を示すブロック図であり、図８に示すように、前記情報照会方法は、ビデオキャプチャ装置に適用され、獲得モジュール８１、確定モジュール８２、および送信モジュール８３を備える。
【０１００】
前記獲得モジュール８１は、端末が送信する通信要求を獲得するように配置される。
【０１０１】
前記確定モジュール８２は、通信要求によって、ビデオキャプチャ装置と接続される端末を確定するように配置される。
【０１０２】
前記送信モジュール８３は、インターネット側にビデオキャプチャ装置の状態情報を送信するように配置される。ここで、状態情報は、ビデオキャプチャ装置と接続される端末の情報を含む。
【０１０３】
一実施例では、図９に示すように、確定モジュール８２は、抽出サブモジュール９１、および確定サブモジュール９２を備える。
【０１０４】
前記抽出サブモジュール９１は、通信要求から端末識別子を抽出するように配置される。
【０１０５】
前記確定サブモジュール９２は、端末識別子によってビデオキャプチャ装置の接続状態パラメータである、現在ビデオキャプチャ装置と接続される端末の数量、および所定の時間内にビデオキャプチャ装置と接続される端末の数量のうち少なくともいずれか一つを確定するように配置される。
【０１０６】
一実施例では、送信モジュール８３は、所定の時間にビデオキャプチャ装置の状態情報をインターネット側に送信し、
または
接続状態パラメータが第１の所定の閾値を超えると、状態情報をインターネット側に送信するために使用されるものである。
【０１０７】
一実施例では、図１０に示すように、送信モジュール８３は、生成サブモジュール１０１、および送信サブモジュール１０２を備える。
【０１０８】
前記生成サブモジュール１０１は、状態情報によって、ビデオキャプチャ装置のハートビートパケットを生成するように配置される。
【０１０９】
前記送信サブモジュール１０２は、ハートビートパケットをインターネット側に送信するように配置される。
【０１１０】
図１１は、一例示的な実施例に係る情報照会装置を示すブロック図であり、図１１に示すように、前記情報照会方法は、インターネット側に適用され、受信モジュール１１１、および送信モジュール１１２を備える。
【０１１１】
前記受信モジュール１１１は、ビデオキャプチャ装置が送信される状態情報を受信するように配置される。ここで、状態情報は、ビデオキャプチャ装置と接続される端末の情報を含む。
【０１１２】
前記送信モジュール１１２は、状態情報を所定の端末に送信するように配置される。ここで、所定の端末は、ビデオキャプチャ装置に関連する端末である。
【０１１３】
一実施例では、図１２に示すように、送信モジュール１１２は、抽出サブモジュール１２１、および第１の送信サブモジュール１２２を備える。
【０１１４】
前記抽出サブモジュール１２１は、状態情報からビデオキャプチャ装置の接続状態パラメータを抽出するように配置される。
【０１１５】
前記第１の送信サブモジュール１２２は、接続状態パラメータが第２の所定の閾値を超えると、状態情報を所定の端末に送信するように配置される。
【０１１６】
一実施例では、図１３に示すように、送信モジュール１１２は、受信サブモジュール１３１、照会サブモジュール１３２、および第２の送信サブモジュール１３３を備える。
【０１１７】
前記受信サブモジュール１３１は、所定の端末が送信する照会要求を受信するように配置される。
【０１１８】
前記照会サブモジュール１３２は、照会要求によって所定の端末に関連するビデオキャプチャ状態情報を照会するように配置される。
【０１１９】
前記第２の送信サブモジュール１３３は、状態情報を所定の端末に送信するように配置される。
【０１２０】
一実施例では、送信モジュールは、所定の時間に状態情報を所定の端末に送信するために使用されるものである。
【０１２１】
本発明は、また、情報照会装置を提供し、前記装置は、
プロセッサと、
プロセッサにより実行可能な命令を記憶するメモリと、を備え、
ここで、プロセッサは、
端末が送信する通信要求を獲得し、
前記通信要求によって、前記ビデオキャプチャ装置と接続される端末を確定し、
インターネット側に前記ビデオキャプチャ装置の状態情報を送信するように配置され、
ここで、前記状態情報は、前記ビデオキャプチャ装置と接続される端末の情報を含む。
【０１２２】
本発明は、さらにまた、情報照会装置を提供し、前記装置は、
プロセッサと、
プロセッサにより実行可能な命令を記憶するメモリと、を備え、
ここで、プロセッサは、
ビデオキャプチャ装置が送信される状態情報を受信し、
前記状態情報を所定の端末に送信されるように配置され、
前記状態情報は、前記ビデオキャプチャ装置と接続される端末の情報を含み、
前記所定の端末は、ビデオキャプチャ装置と接続される端末である。
【０１２３】
前記実施例に係る装置について、その中のそれぞれのモジュールが操作を実行する具体的な方法について、既にその方法の実施例で詳細に説明したので、ここでその詳細な説明を省略する。
【０１２４】
図１４は、一例示的な実施例に係る情報照会装置に使用されるブロック図である。前記装置は、本発明に係るビデオキャプチャ装置に関連する端末に適用することができる。例えば、装置１４００は、携帯電話、コンピュータ、デジタル放送端末、メッセージ送受信機、ゲームコンソール、タブレット機器、医療機器、ヘルス機器、ＰＤＡ（Personal Digital Assistant）などのものであってもよい。
【０１２５】
装置１４００は、処理ユニット１４０２、メモリ１４０４、電源ユニット１４０６、マルチメディアユニット１４０８、オーディオユニット１４１０、入出力（Ｉ/Ｏ）インターフェース１４１２、センサーユニット１４１４、および通信ユニット１４１６からなる群から選ばれる少なくとも１つを備えてもよい。
【０１２６】
処理ユニット１４０２は、一般的には、装置１４００の全体の操作、例えば、表示、電話呼び出し、データ通信、カメラ操作及び記録操作に関連する操作を制御する。処理ユニット１４０２は、上述した方法におけるステップの一部又は全部を実現できるように、命令を実行する少なくとも１つのプロセッサ１４２０を備えてもよい。また、処理ユニット１４０２は、他のユニットとのインタラクションを便利にさせるように、少なくとも１つのモジュールを備えてもよい。例えば、処理ユニット１４０２は、マルチメディアユニット１４０８とのインタラクションを便利にさせるように、マルチメディアモジュールを備えてもよい。
【０１２７】
メモリ１４０４は、装置１４００での操作をサポートするように、各種のデータを記憶するように配置される。これらのデータは、例えば、装置１４００で何れのアプリケーション又は方法を操作するための命令、連絡先データ、電話帳データ、メッセージ、画像、ビデオ等を備える。メモリ１４０４は、何れの種類の揮発性又は不揮発性メモリ、例えば、ＳＲＡＭ（Ｓｔａｔｉｃ Ｒａｎｄｏｍ Ａｃｃｅｓｓ Ｍｅｍｏｒｙ）、ＥＥＰＲＯＭ（Ｅｌｅｃｔｒｉｃａｌｌｙ Ｅｒａｓａｂｌｅ Ｐｒｏｇｒａｍｍａｂｌｅ Ｒｅａｄ−Ｏｎｌｙ Ｍｅｍｏｒｙ）、ＥＰＲＯＭ（Ｅｒａｓａｂｌｅ Ｐｒｏｇｒａｍｍａｂｌｅ Ｒｅａｄ Ｏｎｌｙ Ｍｅｍｏｒｙ）、ＰＲＯＭ（Ｐｒｏｇｒａｍｍａｂｌｅ ＲＯＭ）、ＲＯＭ（Ｒｅaｄ Ｏｎｌｙ Ｍｅｍｏｒｙ）、磁気メモリ、フラッシュメモリ、磁気ディスク、或いは光ディスクにより、或いはそれらの組み合わせにより実現することができる。
【０１２８】
電源ユニット１４０６は、装置１４００の各種ユニットに電力を供給するためのものであり、電源管理システム、１つ又は複数の電源、及び装置１４００のために電力を生成、管理及び分配することに関連する他のユニットを備えてもよい。
【０１２９】
マルチメディアユニット１４０８は、装置１４００とユーザーの間に出力インターフェースを提供するスクリーンを備えてもよい。スクリーンは、例えば、液晶ディスプレイ（ＬＣＤ）やタッチパネル（ＴＰ）を備えてもよい。スクリーンは、タッチパネルを備える場合、ユーザーからの入力信号を受信するように、タッチスクリーンになることができる。また、タッチパネルは、タッチや、スライド、タッチパネル上の手振りを感知するように、少なくとも１つのタッチセンサーを有する。タッチセンサーは、タッチやスライド動作の境界を感知できるだけではなく、タッチやスライド操作と関連する持続時間や圧力も感知できる。一実施例では、マルチメディアユニット１４０８は、フロントカメラ及び/又はバックカメラを有してもよい。装置１４００が、例えば、撮影モードやビデオモードのような操作モードにある時、フロントカメラ及び/又はバックカメラが外部のマルチメディアデータを受信できる。フロントカメラ及びバックカメラのそれぞれは、固定の光学レンズ系であってもよいし、焦点距離及び光学ズーム能力を有するものであってもよい。
【０１３０】
オーディオユニット１４１０は、オーディオ信号を出力及び/又は入力するように配置される。例えば、オーディオユニット１４１０は、マイクロフォン（ＭｉＣ）を有してもよい。装置１４００が、例えば、呼び出しモード、記録モード、又は音声認識モードのような操作モードにあるとき、マイクロフォンは、外部のオーディオ信号を受信するように配置される。受信したオーディオ信号は、メモリ１４０４にさらに記憶されてもよいし、通信ユニット１４１６を介して送信されてもよい。一実施例では、オーディオユニット１４１０は、オーディオ信号を出力するためのスピーカをさらに備えてもよい。
【０１３１】
Ｉ/Ｏインターフェース１４１２は、処理ユニット１４０２と外部のインターフェースモジュールの間にインターフェースを提供するためのものである。上記外部のインターフェースモジュールは、キーボードや、クリックホイールや、ボタン等であってもよい。これらのボタンは、ホームボタンや、音量ボタンや、スタートボタンや、ロックボタンであってもよいが、それらに限らない。
【０１３２】
センサーユニット１４１４は、装置１４００のために各方面の状態を評価する少なくとも１つのセンサーを備えてもよい。例えば、センサーユニット１４１４は、装置１４００のオン/オフ状態や、ユニットの相対的な位置を検出することができる。例えば、前記ユニットが装置１４００のディスプレイ及びキーパッドである。センサーユニット１４１４は、装置１４００又は装置１４００の１つのユニットの位置の変化、ユーザーによる装置１４００への接触の有無、装置１４００の方向又は加速/減速、装置１４００の温度変化等を検出することができる。センサーユニット１４１４は、何れの物理的な接触もない場合付近の物体を検出するように配置される近接センサーを有してもよい。センサーユニット１４１４は、結像応用に用いるための光センサー、例えば、ＣＭＯＳ又はＣＣＤ画像センサーを有してもよい。一実施例では、当該センサーユニット１４１４は、加速度センサー、ジャイロスコープセンサー、磁気センサー、圧力センサー又は温度センサーをさらに備えてもよい。
【０１３３】
通信ユニット１４１６は、装置１４００と他の設備の間の無線又は有線通信を便利にさせるように配置される。装置１４００は、通信標準に基づく無線ネットワーク、例えば、ＷｉＦｉや、２Ｇや、３Ｇ、又はそれらの組み合わせにアクセスできる。１つの例示的な実施例では、通信ユニット１４１６は、放送チャンネルを介して外部の放送管理システムからの放送信号又は放送に関する情報を受信する。１つの例示的な実施例では、前記通信ユニット１４１６は、近距離通信を促進するために近距離無線通信（ＮＦＣ）モジュールをさらに備えてもよい。例えば、ＮＦＣモジュールは、無線周波数認識装置（ＲＦｉＤ：Ｒａｄｉｏ Ｆｒｅｑｕｅｎｃｙ ｉＤｅｎｔｉｆｉｃａｔｉｏｎ）技術、赤外線データ協会（ｉｒＤＡ：ｉｎｆｒａｒｅｄ Ｄａｔａ Ａｓｓｏｃｉａｔｉｏｎ）技術、超広帯域無線（ＵＷＢ：Ｕｌｔｒａ Ｗｉｄｅ Ｂａｎｄ）技術、ブルートゥース（登録商標）（ＢＴ：Ｂｌｕｅｔｏｏｔｈ）技術及び他の技術によって実現されてもよい。
【０１３４】
例示的な実施例では、装置１４００は、上述した方法を実行するために、１つ又は複数の特定用途向け集積回路（ＡＳｉＣ：Ａｐｐｌｉｃａｔｉｏｎ Ｓｐｅｃｉｆｉｃ ｉｎｔｅｇｒａｔｅｄ Ｃｉｒｃｕｉｔ）、デジタル信号プロセッサー（ＤＳＰ：Ｄｉｇｉｔａｌ Ｓｉｇｎａｌ Ｐｒｏｃｅｓｓｏｒ）、数字信号処理デバイス（ＤＳＰＤ：Ｄｉｇｉｔａｌ Ｓｉｇｎａｌ Ｐｒｏｃｅｓｓｉｎｇ Ｄｅｖｉｃｅ）、プログラマブルロジックデバイス（ＰＬＤ：Ｐｒｏｇｒａｍｍａｂｌｅ Ｌｏｇｉｃ Ｄｅｖｉｃｅ）、書替え可能ゲートアレイ（ＦＰＧＡ：Ｆｉｅｌｄ−Ｐｒｏｇｒａｍｍａｂｌｅ Ｇａｔｅ Ａｒｒａｙ）、コントローラ、マイクロコントローラ、マイクロプロセッサー、又は他の電子機器によって実現されてもよい。
【０１３５】
例示的な実施例では、命令を有する非一時的コンピュータ読み取り可能な記録媒体、例えば、命令を有するメモリ１４０４をさらに提供する。前記命令は、装置１４００のプロセッサ１４２０により実行されて上述した方法を実現する。例えば、前記非一時的コンピュータ読み取り可能な記録媒体は、ＲＯＭ、ＲＡＭ、ＣＤ-ＲＯＭ、磁気テープ、フロッピー（登録商標）ディスク及び光データメモリ等であってもよい。
【０１３６】
図１５は、一例示的な実施例に係る情報照会に使用される装置を示すブロック図である。例えば、装置１５００は、インターネット側に提供されてもよい。装置１５００は、１つ以上のプロセッサーがさらに含まれた処理ユニット１５２２と、処理ユニット１５２２により実行可能な命令、例えばプログラムを記憶するメモリ１５３２を代表とするメモリリソースと、を含む。メモリ１５３２に記憶されたアプリケーションプログラムは、１つ以上のそれぞれが一組の命令に対応するモジュールを含んでもよい。また、前記いずれか１つの実施例に提供された方法を実行するために、処理ユニット１５２２は命令を実行するように配置される。
【０１３７】
装置１５００は、装置１５００の電源管理を実行するように配置された電源ユニット１５２６と、装置１５００をインターネットに接続させるように配置された有線又は無線インターネットインタフェース１５５０と、入力/出力（Ｉ/Ｏ）インタフェース１５５８とを備えてもよい。装置１５００はメモリ１５３２に記憶された操作システム、例えばＷｉｎｄｏｗｓ Ｓｅｒｖｅｒ（登録商標）ＴＭ、Ｍａｃ（登録商標） ＯＳ ＸＴＭ、Ｕｎｉｘ（登録商標）ＴＭ, Ｌｉｎｕｘ（登録商標）ＴＭ、ＦｒｅｅＢＳＤ（登録商標）ＴＭなどに基づいて操作できる。
【０１３８】
非一時的コンピュータ可読記憶媒体は、前記記憶媒体における命令が装置１４００のプロセッサーにより実行されると、装置１４００が前記情報照会方法を実行するようにする。前記方法は、
端末が送信する通信要求を獲得するステップと、
前記通信要求によって、前記ビデオキャプチャ装置と接続される端末を確定するステップと、
インターネット側に前記ビデオキャプチャ装置の状態情報を送信するステップと、を含み、
前記状態情報は、前記ビデオキャプチャ装置と接続される端末の情報を含む。
【０１３９】
一実施例では、前記通信要求によって、前記ビデオキャプチャ装置と接続される端末を確定するステップは、
前記通信要求から端末識別子を抽出するステップと、
前記端末識別子によって、前記ビデオキャプチャ装置の接続状態パラメータである、現在前記ビデオキャプチャ装置と接続される端末の数量、および所定の時間内に前記ビデオキャプチャ装置と接続される端末の数量のうち少なくともいずれか一つを確定するステップを含む。
【０１４０】
一実施例では、前記ビデオキャプチャ装置と接続される端末の情報は、前記端末の端末識別子、および前記ビデオキャプチャ装置の接続状態パラメータのうち少なくとも１つの情報を含む。
【０１４１】
一実施例では、インターネット側に前記ビデオキャプチャ装置の状態情報を送信するステップは、
所定の時間に前記ビデオキャプチャ装置の状態情報を前記インターネット側に送信するステップ、
または
前記接続状態パラメータが第１の所定の閾値を超えると、前記状態情報を前記インターネット側に送信するステップを含む。
【０１４２】
一実施例では、インターネット側に前記ビデオキャプチャ装置の状態情報を送信するステップは、
前記状態情報によって、前記ビデオキャプチャ装置のハートビートパケットを生成するステップと、
前記ハートビートパケットを前記インターネット側に送信するステップと、を含む。
【０１４３】
非一時的コンピュータ可読記憶媒体は、前記記憶媒体における命令が装置１５００のプロセッサーにより実行されると、装置１５００が前記情報照会方法を実行するようにする。前記方法は、
ビデオキャプチャ装置が送信される状態情報を受信するステップと、
前記状態情報を所定の端末に送信するステップと、を含み、
前記状態情報は、前記ビデオキャプチャ装置と接続される端末の情報を含み、
前記所定の端末は、前記ビデオキャプチャ装置に関連する端末である。
【０１４４】
一実施例では、前記状態情報を所定の端末に送信するステップは、
前記状態情報から前記ビデオキャプチャ装置の接続状態パラメータを抽出するステップと、
前記接続状態パラメータが第２の所定の閾値を超えると、前記状態情報を前記所定の端末に送信するステップと、を含む。
【０１４５】
一実施例では、前記状態情報を所定の端末に送信するステップは、
前記所定の端末が送信する照会要求を受信するステップと、
前記照会要求によって前記所定の端末に関連するビデオキャプチャ装置の状態情報を照会するステップと、
前記状態情報を前記所定の端末に送信するステップと、を含む。
【０１４６】
一実施例では、前記状態情報を所定の端末に送信するステップは、
所定の時間に前記状態情報を前記所定の端末に送信するステップ、を含む。
【０１４７】
当業者は、明細書に対する理解、及び明細書に記載された発明に対する実施を介して、本発明の他の実施形態を容易に取得することができる。本発明は、本発明に対する任意の変形、用途、または適応的な変化を含み、このような変形、用途、または適応的な変化は、本発明の一般的な原理に従い、本発明では開示していない本技術分野の公知知識、または通常の技術手段を含む。明細書及び実施例は、ただ例示的なものであって、本発明の本当の範囲と主旨は、以下の特許請求の範囲によって示される。
【０１４８】
本発明は、上記で記述され、図面で図示した特定の構成に限定されず、その範囲を離脱しない状況で、様様な修正や変更を実施してもよい。本発明の範囲は、添付される特許請求の範囲のみにより限定される。
【０１４９】
本願は、出願番号が２０１５１０３９５４６５.６であって、出願日が２０１５年７月７日である中国特許出願を基礎として優先権を主張し、当該中国特許出願の内容の全体を本願に援用する。
【図１】
0006441481.tif 000002
【図２】
0006441481.tif 000003
【図３】
0006441481.tif 000004
【図４】
0006441481.tif 000005
【図５】
0006441481.tif 000006
【図６】
0006441481.tif 000007
【図７】
0006441481.tif 000008
【図８】
0006441481.tif 000009
【図９】
0006441481.tif 000010
【図１０】
0006441481.tif 000011
【図１１】
0006441481.tif 000012
【図１２】
0006441481.tif 000013
【図１３】
0006441481.tif 000014
【図１４】
0006441481.tif 000015
【図１５】
0006441481.tif 000016